(57)【要約】【課題】光拡散性粒子を接着層の界面から突出させることを有効に防止し、表示デバイスの表示画面を鮮明なものにできる液晶表示パネル並びに液晶表示装置を提供する。【解決手段】一対の透明基板１Ａ，１Ｂを液晶層２を介して対向させるとともに、前記一対の透明基板１Ａ，１Ｂのうち、少なくとも一方の透明基板１Ａ，１Ｂの外側に位相差板５Ａ，５Ｂ及び偏光板６Ａ，６Ｂを順次配設してなり、外部からの光を液晶層２に入射させて所定の画像を表示する液晶表示パネルにおいて、前記位相差板５Ａ，５Ｂと偏光板６Ａ，６Ｂとの間に光拡散性粒子９を含む接着層７を介して両者を接着するとともに、前記接着層７中の光拡散性粒子９を前記位相差板５Ａ，５Ｂの界面近傍領域及び偏光板６Ａ，６Ｂの界面近傍領域で存在させない、もしくは接着層７中の光拡散性粒子９を前記両界面近傍領域に挟まれた領域よりも両界面近傍領域で少なく設定する。【選択図】図１
2004354645.tif 000002
【特許請求の範囲】
【請求項１】
一対の透明基板を液晶層を介して対向させるとともに、前記一対の透明基板のうち、少なくとも一方の透明基板の外側に位相差板及び偏光板を順次配設してなり、外部からの光を液晶層に入射させて所定の画像を表示する液晶表示パネルにおいて、
前記位相差板と偏光板との間に光拡散性粒子を含む接着層を介して両者を接着するとともに、前記接着層中の光拡散性粒子を前記位相差板の界面近傍領域及び偏光板の界面近傍領域で存在させない、もしくは接着層中の光拡散性粒子を前記両界面近傍領域に挟まれた領域よりも両界面近傍領域で少なく設定したことを特徴とする液晶表示パネル。
【請求項２】
一対の透明基板を液晶層を介して対向させるとともに、前記一対の透明基板のうち、少なくとも一方の透明基板の外側に位相差板及び偏光板を順次配設してなり、外部からの光を液晶層に入射させて所定の画像を表示する液晶表示パネルにおいて、
前記位相差板と透明基板との間に光拡散性粒子を含む接着層を介して両者を接着するとともに、前記接着層中の光拡散性粒子を、前記位相差板の界面近傍領域で存在させない、もしくは接着層中の光拡散性粒子を前記位相差板の界面近傍領域以外の領域よりも位相差板の界面近傍領域で少なく設定したことを特徴とする液晶表示パネル。
【請求項３】
前記光拡散性粒子の平均分布密度は、接着界面近傍領域で０個／ｃｍ３〜２×１０５個／ｃｍ３、他の領域で３×１０６個／ｃｍ３〜８×１０１４個／ｃｍ３の範囲に成したことを特徴とする請求項１または請求項２に記載の液晶表示パネル。
【請求項４】
前記光拡散性粒子の平均粒径を、０．１μｍ〜２０μｍに成したことを特徴とする請求項１乃至請求項３のいずれかに記載の液晶表示パネル。
【請求項５】
前記接着層を構成する透明樹脂の屈折率（ｎ１）に対する前記光拡散性粒子の屈折率（ｎ２）の割合（ｎ１／ｎ２）、０．６〜０．９９或は１．０１〜１．６０の範囲となるように設定したことを特徴とする請求項１乃至請求項４のいずれかに記載の液晶表示パネル。
【請求項６】
請求項１乃至請求項５のいずれかに記載の液晶表示パネルと、該液晶表示パネルの画像表示を制御する駆動手段とを備えたことを特徴とする液晶表示装置。
【発明の詳細な説明】
【０００１】
【発明の属する技術分野】
本発明は表示デバイスに用いられる液晶表示パネル並びに液晶表示装置に関するものである。
【０００２】
【従来の技術】
従来より、携帯情報端末や携帯電話等の表示画面には、液晶表示パネル等の表示デバイスが使用されている。
【０００３】
かかる液晶表示パネルは、例えばＳＴＮ方式の液晶表示パネルの場合、図４に示すごとく、矩形状を成す一対のガラス製の透明基板１１Ａ，１１Ｂ（Ａは光が液晶層へと入射する側、Ｂは光が液晶層から出射する側であることを示す。以下同じ。）を、液晶層１２を介して対向させ、前記透明基板１１Ａ，１１Ｂの外側に位相差板１５Ａ，１５Ｂ及び偏光板１６Ａ，１６Ｂを順次配設した構造を有している。
【０００４】
このような液晶表示パネルは、外部からの光を偏光板１６Ａ及び位相差板１５Ａを介して液晶層１２内に入射させながら、該液晶層１２に選択的に電圧を印加するとともに、該印加電圧によって液晶層１２内の分子配列を画素領域ごとに可変させ、入射した光の光軸が該液晶層１２内の分子配列に沿って通過することで、偏光板１６Ｂから出射する光の割合を制御することにより画像表示が行われる。
【０００５】
尚、透明基板１１Ａ，１１Ｂと位相差板１５Ａ，１５Ｂとの間や、位相差板１５Ａ，１５Ｂと偏光板１６Ａ，１６Ｂとの間には接着層１７が介在され、この接着層１７で透明基板１１Ａ，１１Ｂ、位相差板１５Ａ，１５Ｂ、偏光板１６Ａ，１６Ｂの位置を固定している。
【０００６】
そして前記接着層１７は、アクリル系の透明樹脂１８中に一様に分散されるシリコーン系樹脂やガラス等から成る光拡散性粒子１９とから成り、該接着層１７に入射した光を該光拡散性粒子１９と透明樹脂１８との屈折率を異ならせることにより拡散させる機能を有している。
【０００７】
【特許文献１】
特開平１１−２２３７１２号公報
【０００８】
【発明が解決しようとする課題】
しかしながら、上述したような従来の液晶表示パネルにおいては、前記透明基板１１Ａ，１１Ｂと位相差板１５Ａ，１５Ｂとの間や、位相差板１５Ａ，１５Ｂと偏光板１６Ａ，１６Ｂとの間に介在させる接着層１７中の光拡散性粒子１９は、接着層１７全体に分散しているため、位相差板１５Ａ，１５Ｂや偏光板１６Ａ，１６Ｂとの界面近傍に存在する光拡散性粒子１９が該接着層１７から突出していることがあり、かかる突出した光拡散性粒子１９によって、位相差板１５Ａ，１５Ｂや偏光板１６Ａ，１６Ｂとの界面に気泡が混入し、外部からの光の拡散が遮られ、表示画像に輝度ムラが生じていた。
【０００９】
また位相差板１５Ａ，１５Ｂや偏光板１６Ａ，１６Ｂの平坦性が損なわれることから、位相差板１５Ａ，１５Ｂや偏光板１６Ａ，１６Ｂを通過する光を所望する角度で出射させることが困難となり、光利用効率が低下してしまう。その結果、液晶表示装置の輝度や視認性、表示精細性の低下といった問題を誘発していた。
【００１０】
本発明は上記欠点に鑑み案出されたもので、その目的は、光拡散性粒子を接着層の界面から突出させることを有効に防止し、表示デバイスの表示画像を鮮明なものにできる液晶表示パネル並びに液晶表示装置を提供することにある。
【００１１】
【課題を解決するための手段】
本発明の液晶表示パネルは、一対の透明基板を液晶層を介して対向させるとともに、前記一対の透明基板のうち、少なくとも一方の透明基板の外側に位相差板及び偏光板を順次配設してなり、外部からの光を液晶層に入射させて所定の画像を表示する液晶表示パネルにおいて、前記位相差板と偏光板との間に光拡散性粒子を含む接着層を介して両者を接着するとともに、前記接着層中の光拡散性粒子を前記位相差板の界面近傍領域及び偏光板の界面近傍領域で存在させない、もしくは接着層中の光拡散性粒子を前記両界面近傍領域に挟まれた領域よりも両界面近傍領域で少なく設定したことを特徴とするものである。
【００１２】
また本発明の液晶表示パネルは、一対の透明基板を液晶層を介して対向させるとともに、前記一対の透明基板のうち、少なくとも一方の透明基板の外側に位相差板及び偏光板を順次配設してなり、外部からの光を液晶層に入射させて所定の画像を表示する液晶表示パネルにおいて、前記位相差板と透明基板との間に光拡散性粒子を含む接着層を介して両者を接着するとともに、前記接着層中の光拡散性粒子を、前記位相差板の界面近傍領域で存在させない、もしくは接着層中の光拡散性粒子を前記位相差板の界面近傍領域以外の領域よりも位相差板の界面近傍領域で少なく設定したことを特徴とするものである。
【００１３】
更に本発明の液晶表示パネルは、前記光拡散性粒子の平均分布密度は、接着界面近傍領域で０個／ｃｍ３〜２×１０５個／ｃｍ３、他の領域で３×１０６個／ｃｍ３〜８×１０１４個／ｃｍ３の範囲に成したことを特徴とするものである。
【００１４】
また更に本発明の液晶表示パネルは、前記光拡散性粒子の平均粒径を、０．１μｍ〜２０μｍに成したことを特徴とするものである。
【００１５】
更にまた本発明の液晶表示パネルは、前記光拡散性粒子の平均粒径を、０．１μｍ〜２０μｍに成したことを特徴とするものである。
【００１６】
更にまた本発明の液晶表示パネルは、前記接着層を構成する透明樹脂の屈折率（ｎ１）に対する前記光拡散性粒子の屈折率（ｎ２）の割合（ｎ１／ｎ２）、０．６〜０．９９或は１．０１〜１．６０の範囲となるように設定したことを特徴とするものである。
【００１７】
また更に本発明の液晶表示装置は、上述の液晶表示パネルと、該液晶表示パネルの画像表示を制御する駆動手段とを備えたことを特徴とするものである。
【００１８】
本発明の液晶表示パネルによれば、一対の透明基板を液晶層を介して対向させるとともに、前記一対の透明基板のうち、少なくとも一方の透明基板の外側に位相差板及び偏光板を順次配設してなり、外部からの光を液晶層に入射させて所定の画像を表示する液晶表示パネルにおいて、前記位相差板と偏光板との間に光拡散性粒子を含む接着層を介して両者を接着するとともに、前記接着層中の光拡散性粒子を前記位相差板の界面近傍領域及び偏光板の界面近傍領域で存在させない、もしくは接着層中の光拡散性粒子を前記両界面近傍領域に挟まれた領域よりも両界面近傍領域で少なく設定したことから、位相差板と偏光板との間に介在させる接着層中の光拡散性粒子が該接着層から大きく突出することを抑制できる。従って接着層と位相差板との界面や接着層と偏光板との界面の密着性が向上し、それ故、光の拡散を遮る気泡が多量に混入することを防止でき、画像を略均一な輝度で表示することが可能となる。
【００１９】
また位相差板と偏光板との間に介在させる接着層中の光拡散性粒子が該接着層から大きく突出することを抑制できることから、位相差板や偏光板の平坦性が良くなり、位相差板や偏光板を透明基板に対して略平行に成すことができることから、位相差板や偏光板を透過する光を所望する角度で出射させることで光利用効率の低下を防止し、その結果、液晶表示装置の輝度や視認性、表示精細性を良好に成すことが可能となる。
【００２０】
更に前記位相差板と透明基板との間に光拡散性粒子を含む接着層を介して両者を接着するとともに、前記接着層中の光拡散性粒子を、前記位相差板の界面近傍領域で存在させない、もしくは接着層中の光拡散性粒子を前記位相差板の界面近傍領域以外の領域よりも位相差板の界面近傍領域で少なく設定した場合にも、接着層中の光拡散性粒子が該接着層から大きく突出することを抑制できることから、上述と同様の効果が得られる。
【００２１】
また更に上述の液晶表示パネルを使用することにより、表示画面が鮮明な液晶表示装置を得ることが可能となる。
【００２２】
【発明の実施の形態】
以下、本発明に係る液晶表示パネルを添付図面に基づいて説明する。
【００２３】
図１は本発明の一実施形態に係る液晶表示パネルの断面図であり、大略的に、一対の透明基板１Ａ，１Ｂ（Ａは光が液晶層へと入射する側、Ｂは光が液晶層から出射する側であることを示す。以下同じ。）を間に所定の間隙を設けて対向配置させた上、両基板の間隙に液晶層２を充填した構造を有している。
【００２４】
前記一対の透明基板１Ａ，１Ｂは、ソーダ石灰ガラス等のアルカリガラスや硼珪酸ガラス等の無アルカリガラスのような透明な電気絶縁材料により、３００μｍ〜１２００μｍの厚みに形成され、その一主面にはストライプ状の透明電極４Ａ，４Ｂや配向膜３Ａ，３Ｂ等が設けられている。
【００２５】
このような一対の透明基板１Ａ，１Ｂは、各々の透明電極４Ａ，４Ｂが平面視した状態で略直交するように一主面同士を対向させて配置され、この透明電極４Ａ，４Ｂの対向領域でマトリクス状の画素領域を構成している。
【００２６】
これらの一対の透明基板１Ａ，１Ｂは、前記透明電極４Ａ，４Ｂや配向膜３Ａ，３Ｂ、他主面上の位相差板５Ａ，５Ｂ、偏光板６Ａ，６Ｂ等を支持するとともに、両基板の間隙に液晶層２を充填するための所定の間隙を確保している。
【００２７】
尚、前記透明基板１Ａ，１Ｂは、例えば従来周知のフロート法、リドロー法等により作成された素板ガラスを表面研磨することにより算術平均粗さＲａで５０ｎｍ以下になした後、これを洗浄することにより作成される。
【００２８】
また前記透明電極４Ａ，４Ｂは、ＩＴＯ（Ｉｎｄｉｕｍ  Ｔｉｎ  Ｏｘｉｄｅ）等の透明な導電材料により形成されており、外部電源からの電力を供給することにより、両基板の透明電極４Ａ，４Ｂ同士が対向する領域で個々の画素領域に選択的に電圧を印加する機能を果たしている。
【００２９】
このような透明電極４Ａ，４Ｂは、上述の導電材料を従来周知のスパッタリング法や蒸着法あるいはＣＶＤ（Ｃｈｅｍｉｃａｌ  Ｖａｐｏｒ  Ｄｅｐｏｓｉｔｉｏｎ）法によって透明基板１Ａ，１Ｂの一主面上に被着させるとともに、これを従来周知のフォトリソグラフィー技術及びエッチング技術を採用することによってストライプ状にパターニングすることによって形成される。
【００３０】
更に前記一対の透明基板１Ａ，１Ｂの一主面には一対の配向膜３Ａ，３Ｂが透明電極を被覆するように設けられ、かかる一対の配向膜３Ａ，３Ｂ間に液晶層２が介在されている。
【００３１】
前記一対の配向膜３Ａ，３Ｂは、各々が厚み０．０３μｍ〜０．１μｍのポリイミド樹脂から成り、その表面に一定方向に沿って溝が形成され、この溝の方向が一対の配向膜３Ａ，３Ｂ同士で適当な角度（例えば９０度〜２７０度）異なるように設定される。
【００３２】
尚、前記配向膜３Ａ，３Ｂは、例えばポリイミド樹脂製の膜の表面を布などにより一定方向に沿ってラビングして溝を形成することにより作成される。
【００３３】
そして前記一対の透明基板１Ａ，１Ｂ間に介在される液晶層２は、例えばフェニルシクロヘキサン（ＰＣＨ）系、エステル系、ビフェニル系、ジオキサン系等の母材に、例えばＰ−エステル系やＰ−ビフェニル系（電圧特性調整のため）、エタン系（粘度調整のため）、三環系や四環系（温度特性調整のため）等を適宜配合したネマチック型液晶材料が用いられている。かかる液晶材料は配向膜３Ａ，３Ｂ表面の溝に沿って配列する性質を有しているため、配向膜３Ａ，３Ｂ間に介在される液晶層２は液晶分子が螺旋状にツイスト配列した構造となる。
【００３４】
一方、各透明基板１Ａ，１Ｂの他主面側に配設される位相差板５Ａ，５Ｂは、直線偏光として入射された光を円偏光に変換し、これを液晶層２に対して透過させるとともに、前記円偏光を再び直線偏光に変換して直線偏光を偏光板４Ｂに透過させることにより、液晶表示パネルの輝度を高める機能を果たしている。
【００３５】
かかる位相差板５Ａ，５Ｂはポリカーボネート系、アモルファスポレオレフィン系等の材料から成る厚み４０μｍ〜１００μｍのフィルムが好適に使用される。
【００３６】
また上述の位相差板５Ａ，５Ｂの更に外側に設けられる偏光板６Ａ，６Ｂは、例えばトリアセチルセルロース（ＴＡＣ）フィルム（厚み７０μｍ〜９０μｍ）、ヨウ素配向膜、ポリビニルアルコール（ＰＶＡ）フィルム（厚み１５μｍ〜２５μｍ）、ＴＡＣフィルム（厚み７０μｍ〜９０μｍ）、ポリカーボネ−ド（ＰＣ）フィルム（厚み８０μｍ〜１００μｍ）を順次積層したものが用いられ、外部より入射する光のうち、一定方向の偏光成分（直線偏光）のみを透過させる機能を有している。
【００３７】
そして、これまでに述べた透明基板１Ａ，１Ｂ、位相差板５Ａ，５Ｂ及び偏光板６Ａ，６Ｂの間には接着層７が介在されており、該接着層７によってこれらの部材同士を固定するとともに、透過する光を適度に拡散させている。
【００３８】
前記接着層７は、透明樹脂８中に光拡散性粒子９を多数含んで構成されており、該光拡散性粒子９を前記位相差板５Ａ，５Ｂの界面近傍領域や偏光板６Ａ，６Ｂの界面近傍領域に存在しないように、もしくは光拡散性粒子９を前記両界面近傍領域に挟まれた領域よりも両界面近傍領域で少なくなるように設定されている。
【００３９】
このような構成にすることにより、前記透明基板１Ａ，１Ｂと位相差板５Ａ，５Ｂとの間や、位相差板５Ａ，５Ｂと偏光板６Ａ，６Ｂとの間に介在させる接着層７中の光拡散性粒子９が、該接着層７から大きく突出することを抑制できる。従って接着層７と位相差板５Ａ，５Ｂとの界面や接着層７と偏光板６Ａ，６Ｂとの界面の密着性が向上し、それ故、光の拡散を遮る気泡が多量に混入することを防止でき、画像を略均一な輝度で表示することが可能となる。
【００４０】
また位相差板５Ａ，５Ｂと偏光板６Ａ，６Ｂとの間に介在させる接着層７中の光拡散性粒子９が該接着層７から大きく突出することを抑制できることから、位相差板５Ａ，５Ｂや偏光板６Ａ，６Ｂの平坦性が良くなり、位相差板５Ａ，５Ｂや偏光板６Ａ，６Ｂを透明基板１Ａ，１Ｂに対して略平行に成すことができ、位相差板５Ａ，５Ｂや偏光板６Ａ，６Ｂを通過する光を所望する角度で出射させることで光利用効率の低下を防止し、その結果、液晶表示装置の輝度や視認性、表示精細性を良好に成すことが可能となる。
【００４１】
前記接着層７を構成する透明樹脂８としては、例えばアクリル系樹脂、ポリエステル系樹脂、エポキシ系樹脂、ポリウレタン系樹脂、ポリオレフィン系樹脂等に、紫外線により硬化するモノマーやオリゴマーを含むものが好適に用いられる。
【００４２】
また前記透明樹脂８中に含まれる光拡散性粒子９は、該透明樹脂８とは屈折率の異なる材料から成り、具体的にはシリカ、アルミナ、チタニア、ジルコニア、炭酸カルシウム等の無機系粒子、或はアクリル系樹脂、ポリカーボネート系樹脂等の有機系粒子が好適に使用される。
【００４３】
この光拡散性粒子９の平均分布密度は、接着界面近傍領域で０個／ｃｍ３〜２×１０５個／ｃｍ３、他の領域で３×１０６個／ｃｍ３〜８×１０１４個／ｃｍ３の範囲に成してある。
【００４４】
前記接着界面近傍領域に含まれる光拡散性粒子９が、２×１０５個／ｃｍ３より多いと、接着層７の界面から突出した光拡散性粒子９によって接着層７の界面に気泡が混入し、外部からの光の拡散が充分得られず、表示画像に輝度ムラが生じる恐れがある。
【００４５】
また他の領域に含まれる光拡散性粒子９が、３×１０６個／ｃｍ３より少ないと充分な光の拡散が得られず、８×１０１４個／ｃｍ３よりも多いと光拡散性粒子９により拡散される光量が多すぎて、透明基板１Ａ，１Ｂ内に入射する光の輝度が低下するという問題を生じることがある。
【００４６】
また前記光拡散性粒子９の平均粒径は、好適には０．１μｍ〜２０μｍ、最適には１μｍ〜１０μｍにすると良く、平均粒径が０．１μｍより小さいと、光拡散性粒子９により拡散される光量が不十分となる傾向にあり、また平均粒径が２０μｍより大きいと、光拡散性粒子９により拡散される光量が多すぎて、透明基板１Ａ，１Ｂ内に入射する光の輝度が低下するという問題を生じることがある。
【００４７】
更に前記接着層７を構成する透明樹脂８の屈折率（ｎ１）に対する前記光拡散性粒子９の屈折率（ｎ２）の割合（ｎ１／ｎ２）は、０．６〜０．９９或は１．０１〜１．６の範囲となるように設定することが好ましく、屈折率の比が０．９９より大きい或は１．０１より小さくなると、拡散される光量が不十分となる傾向にあり、また屈折率の比が０．６以下或は１．６０以上となると、光拡散性粒子９により拡散される光量が多すぎて、透明基板１Ａ，１Ｂ内に入射する光の輝度が低下することとなる。
【００４８】
例えば透明樹脂８の材料となるアクリル系樹脂の屈折率は１．４９、光拡散性粒子９に用いられるシリカの屈折率は１．４６であり、屈折率比は１．０２程度となり、この程度の屈折率の比であれば問題はない。
【００４９】
このような接着層７を形成するには、透明基板１Ａ，１Ｂと位相差板５Ａ，５Ｂとの間では、例えばまず透明基板１Ａ，１Ｂの他主面に光拡散性粒子９を含む透明樹脂８を塗布し半硬化させて塗布膜７Ｘを形成した後、更にその上に光拡散性粒子９を含まない透明樹脂８を塗布し半硬化させて塗布膜７Ｙを形成した後、位相差板５Ａ，５Ｂを接着させた後、塗布膜７Ｘ，７Ｙを硬化させることが行われる。
【００５０】
尚、透明基板１Ａ，１Ｂと密着する接着層７には光拡散性粒子９を含む塗布膜７Ｘを用いている。これは透明基板１Ａ，１Ｂが充分な硬度をもつことから、光拡散性粒子９によりその平坦性が損われることはないからである。
【００５１】
また位相差板５Ａ，５Ｂと偏光板６Ａ，６Ｂとの間では、まず、位相差板５Ａ，５Ｂの他主面に光拡散性粒子９を含まない透明樹脂８を塗布し半硬化させて塗布膜７Ｙを形成した後、その上に光拡散性粒子９を含む透明樹脂８を塗布し同様に半硬化させて塗布膜７Ｘを形成し、更にその上に光拡散性粒子９を含まない透明樹脂８を塗布して塗布膜７Ｙを形成し、偏光板６Ａ，６Ｂを接着させた後、塗布膜７Ｘ，７Ｙを硬化させることが行われる。
【００５２】
このように、接着層７の構成を多層化することにより、例えば透明樹脂８よりも比重の大きいチタニアやジルコニアのような光拡散性粒子９を用いて前記透明樹脂８中で該光拡散性粒子９が沈降するような場合であっても、接着層７から光拡散性粒子９が突出することを抑制することができる。
【００５３】
かくして上述した液晶表示パネルは、外部からの画像データに基づいて多数の透明電極４Ａ，４Ｂを介して各画素領域内の液晶材料に電圧を印可し、該液晶材料の分子配列を画素領域ごとに可変させることにより、偏光板６Ｂを透過する光量を制御することで画像表示が行われる。
【００５４】
次に上述した液晶表示パネルを組み込んで構成した液晶表示装置について図３を用いて説明する。同図に示す液晶表示装置は、上述の液晶表示パネルと、該液晶表示パネルの画像表示を制御する駆動手段とを備えている。
【００５５】
前記駆動手段は、個別電極駆動用ＩＣ、共通電極駆動用ＩＣとで構成されており、外部から入力された表示データに基づいて各ＩＣ内に設けられるスイッチのオン・オフを切り替えることによって各透明電極４Ａ，４Ｂへの印加電圧を制御し、各画素領域の液晶層２の配列構造を可変させる機能を有する。
【００５６】
尚、本発明は、上述の実施形態に限定されるものではなく、本発明の要旨を逸脱しない範囲において、種々の変更・改良が可能である。
【００５７】
例えば上述の図１に示す実施形態においては、透明基板１Ａと位相差板５Ａとの間の接着層７、位相差板５Ａと偏光板６Ａとの間の接着層７、透明基板１Ｂと位相差板５Ｂとの間の接着層７、位相差板５Ｂと偏光板６Ｂとの間の接着層７の４つに光拡散性粒子９を含む接着層７を用いているが、光拡散性粒子９による接着層７における光の拡散性の度合いにより、上述のすべての接着層７に、また任意の接着層７に光拡散性粒子９が含まれる接着層７を用いてもよい。例えば図２では、位相差板５Ａと偏光板６Ａとの間の接着層７に光拡散性粒子９を含有させた例を示す。
【００５８】
また上述の実施形態においては、半透過型液晶表示パネルに用いられる位相差板５Ａ，５Ｂや偏光板６Ａ，６Ｂを光拡散性粒子９を含む接着層７で接着した場合について説明したが、これ以外にも透過型、反射型の液晶表示パネルに用いられる偏光板や位相差板、反射板等を接着した場合にも同様に適用できる。
【００５９】
更に上述の実施形態においては、接着層７を構成する透明樹脂８として、紫外線硬化型のものを用いたが、これに換えて、感熱硬化型、感圧硬化型、溶剤揮発型の樹脂も使用することができる。
【００６０】
【発明の効果】
本発明の液晶表示パネルによれば、一対の透明基板を液晶層を介して対向させるとともに、前記一対の透明基板のうち、少なくとも一方の透明基板の外側に位相差板及び偏光板を順次配設してなり、外部からの光を液晶層に入射させて所定の画像を表示する液晶表示パネルにおいて、前記位相差板と偏光板との間に光拡散性粒子を含む接着層を介して両者を接着するとともに、前記接着層中の光拡散性粒子を前記位相差板の界面近傍領域及び偏光板の界面近傍領域で存在させない、もしくは接着層中の光拡散性粒子を前記両界面近傍領域に挟まれた領域よりも両界面近傍領域で少なく設定したことから、位相差板と偏光板との間に介在させる接着層中の光拡散性粒子が該接着層から大きく突出することを抑制できる。従って接着層と位相差板との界面や接着層と偏光板との界面の密着性が向上し、それ故、光の拡散を遮る気泡が多量に混入することを防止でき、画像を略均一な輝度で表示することが可能となる。
【００６１】
また位相差板と偏光板との間に介在させる接着層中の光拡散性粒子が該接着層から大きく突出することを抑制できることから、位相差板や偏光板の平坦性が良くなり、位相差板や偏光板を透明基板に対して略平行に成すことができることから、位相差板や偏光板を透過する光を所望する角度で出射させることで光利用効率の低下を防止し、その結果、液晶表示装置の輝度や視認性、表示精細性を良好に成すことが可能となる。
【００６２】
更に前記位相差板と透明基板との間に光拡散性粒子を含む接着層を介して両者を接着するとともに、前記接着層中の光拡散性粒子を、前記位相差板の界面近傍領域で存在させない、もしくは接着層中の光拡散性粒子を前記位相差板の界面近傍領域以外の領域よりも位相差板の界面近傍領域で少なく設定した場合にも、接着層中の光拡散性粒子が該接着層から大きく突出することを抑制できることから、上述と同様の効果が得られる。
【００６３】
また更に上述の液晶表示パネルを使用することにより、表示画面が鮮明な液晶表示装置を得ることが可能となる。
【図面の簡単な説明】
【図１】本発明の一実施形態に係る液晶表示パネルの断面図である。
【図２】本発明の他の実施形態に係る液晶表示パネルの断面図である。
【図３】本発明の液晶表示装置の概略説明図である。
【図４】従来の液晶表示パネルの断面図である。
【符号の説明】
１Ａ，１Ｂ・・・透明基板
２・・・液晶層
３Ａ，３Ｂ・・・配向膜
４Ａ，４Ｂ・・・透明電極
５Ａ，５Ｂ・・・位相差板
６Ａ，６Ｂ・・・偏光板
７・・・接着層
７Ｘ・・・光拡散性粒子を含む塗布膜
７Ｙ・・・光拡散性粒子を含まない塗布膜
８・・・透明樹脂
９・・・光拡散性粒子
【図１】
2004354645.tif 000003
【図２】
2004354645.tif 000004
【図３】
2004354645.tif 000005
【図４】
2004354645.tif 000006